(57)【特許請求の範囲】
【請求項１】
左右の送風路（１４、１５）の間において送風入口（１６）を直角に交差させて有する円弧状の膨出部（１７、１７ａ）が形成された弁室（１９）内に、その基部（１８ｃ）が前記円弧状の膨出部（１７、１７ａ）の円弧の中心に位置する回動軸（２２）上に軸止され、中立位置においてその両切換片（１８ａ、１８ｂ）がそれぞれ前記送風入口（１６）の左右両側端部（１６ａ、１６ｂ）に位置して前記送風入口（１６）を閉塞するとともに、前記送風路（１４、１５）の一方への送風切換時には、それぞれ送風される前記一方の送風路（１５）側にある前記切換片の一方（１８ｂ）がその反対側の前記他方の送風路（１４）を閉塞するＶ字状弁（１８）が設けられ、さらに、該Ｖ字状弁（１８）の前記基部（１８ｃ）に隣設する位置からそれぞれ前記送風路（１４、１５）の変向外周部（１４ａ、１５ａ）に向けて傾斜させられて伸びて前記送風路（１４、１５）の前記変向外周部（１４ａ、１５ａ）間を遮断する仕切板（２０、２０）が設けられてなることを特徴とする送風切換装置。
【発明の詳細な説明】
【０００１】
【発明の属する技術分野】
本発明は、例えば、水田や畑の作物に薬剤、肥料等の散布を行うための乗用管理機用等として好適な送風切換装置に関する。
【０００２】
【従来の技術】
従来より水田や畑の作物に薬剤、肥料等の散布を行う一方法として乗用管理機が使用されている。該乗用管理機は、一般に、機体を構成する架台上面に、薬液タンク、粒剤タンク、エンジン、薬液ポンプ、遠心送風機等を搭載した三輪あるいは四輪式の走行自在車に構成されている。
【０００３】
そして、例えば、前記乗用管理機を薬液及び粒剤散布の両用とする場合には、運転席を前記架台上面の略中央に設け、上下動自在に構成される噴射ノズル等からなるブーム形薬液散布装置が前方に設けられ、粒剤散布装置を後方に設ける等、走行及び散布作業中における機体のバランス及び動力伝達機構等を考慮した状態に構成されている。
【０００４】
また、前記遠心送風機からの送風が、機体の前後に設けた前記薬液及び粒剤散布装置に送風できるように設け、前記ブーム形薬液散布装置においては、噴射ノズルから散布される薬液が必要以上に拡散しないようにエアーカーテンを形成せしめるためのエアアシスト用とし、前記粒剤散布装置においては、粒剤等の送風搬送用として構成され、一般には送風路に設けた弁などによって送風側を単に開状態とすることによって送風方向の切換えを行っている。
【０００５】
【発明が解決しようとする課題】
しかしながら、前記従来の送風路に設けた弁などで送風側を単に開状態にするだけの送風切換装置では、送風方向の切換えは行えるが、送風停止の場合には、送風用フアンを駆動するための電動モータのＯＮ、ＯＦＦスイッチや送風機用クラッチを別途に設ける必要があり、そのうえ送風停止のつど前記送風用フアンのＯＮ、ＯＦＦスイッチ操作や送風機用クラッチの入力、解除操作が必要である等手数を要する。
【０００６】
さらに、送風再開にあたっては、前記送風用フアンの再始動や前記送風機用クラッチの再入力を行わねばならず、その繰り返しによる駆動系、例えば、Ｖベルト、トランスミッション及びクラッチ等の駆動停止及び再始動時における負担が増加させられるなどの問題が生じていた。
【０００７】
本発明は、前記事情に鑑みてなされたもので、薬液及び粒剤散布装置への送風機からの送風切換えと送風停止がワンタッチ操作で手数を要せず簡単に行うことができ、駆動系への負担を減少させ、さらには機体の簡素化及び軽量化が図れる送風切換装置を提供することを目的とする。
【０００８】
【課題を解決するための手段】
前記課題を解決するため、本発明は、左右の送風路の間において送風入口を直角に交差させて有する円弧状の膨出部が形成された弁室内に、その基部が前記円弧状の膨出部の円弧の中心に位置する回動軸上に軸止され、中立位置においてその両切換片がそれぞれ前記送風入口の左右両側端部に位置して前記送風入口を閉塞するとともに、前記送風路の一方への送風切換時には、それぞれ送風される前記一方の送風路側にある前記切換片の一方がその反対側の前記他方の送風路を閉塞するＶ字状弁が設けられ、さらに、該Ｖ字状弁の前記基部に隣設する位置からそれぞれ前記送風路の変向外周部に向けて傾斜させられて伸びて前記送風路の前記変向外周部間を遮断する仕切板を設けた構成としたものである。
【０００９】
【発明の実施の形態】
以下に、本発明の実施の一形態を図面に基づいて説明する。図１は本発明に係る一実施形態の送風切換装置を装着した乗用管理機の一例を示す概略全体斜視図、図２は本実施の形態の送風切換装置による送風停止時を示す要部縦断面図、図３は図２のＩＩＩーＩＩＩ矢視断面図、図４は送風切換え状態を示す縦断面図、図５は送風切換えの他の状態を示す縦断面図である。
【００１０】
図１には、本発明の一実施形態の送風切換装置が装着された乗用管理機の一例が示されている。この乗用管理機では、機体を構成する架台１の前方に薬液散布装置２が設けられ、後方に粒剤散布装置３が設けられ、略中央には運転席４が設けられて構成される。図中、５は薬液タンク、６は粒剤タンク、７は遠心式送風機である。
【００１１】
図面に示された乗用管理機において、前記架台１の前方に設けられる前記薬液散布装置２は、機体の走行方向に直交させて左右方向に展張あるいは折畳み自在のブーム部材８が設けられ、その下面部に噴射ノズル９が適当間隔をあけて設けられるとともに、該複数の噴射ノズル９の前後両側に前記送風機７から前記架台１の骨材を管路として送風される空気の吐風口（図示せず）が設けられ、前記噴射ノズル９の前後両側にエアーカーテンが形成される構成になっている。
【００１２】
さらに、前記薬液散布装置２は、前記架台１の左右両側面に一端が軸支された平行リンク式リフトアーム１０によって支持され、水田や畑の作物等の高さに合わせて上下動して地上高調節自在に構成されている。
【００１３】
また、前記架台１の後方に設けられる粒剤を散布するための前記粒剤散布装置３は、その詳細を図示していないが、前記送風機７から送風される空気により、前記粒剤タンク６に収納された粒剤を送風搬送して散布する構成とされている。すなわち、前記送風機７から、前記架台１の前方に設けられた前記薬液散布装置２及び前記架台１の後方に設けられた前記粒剤散布装置３に向けて、前記架台１や可撓管で構成される前方送風管１１及び後方送風管１２がそれぞれ延長されて連結されている。
【００１４】
本実施の形態に係る送風切換装置１３は、前記送風機７と前記前方（左側）送風管１１及び前記後方（右側）送風管１２との連結部に設けられる。具体的には、図２乃至図５に示されているように、まず、円筒状の前方（左側）送風路１４及び後方（右側）送風路１５が直線状に設けられ、該直線状部の中央上方に前記送風機７の吐風口７ａが連結される送風入口１６が直角に交差させて設けられる。
【００１５】
さらに、前記前方送風路１４及び前記後方送風路１５と前記送風入口１６との連結部の左右両側に円弧状の膨出部１７、１７ａが形成され、該円弧状の膨出部１７、１７ａの内周に沿って後述するＶ字状弁１８の回動操作を可能とする弁室１９が形成される。
【００１６】
そして、該弁室１９内には、前記膨出部１７、１７ａの円弧の中心に位置する回動軸２２上に基部１８ｃが軸支され、前記膨出部１７、１７ａの内面に沿って前記弁室１９内の上方域を回動する略Ｖ字状に形成された二枚の切換片１８ａ、１８ｂを有するＶ字状弁１８が設けられる。
【００１７】
該Ｖ字状弁１８は、送風停止時には、その両切換片１８ａ、１８ｂの先端部がそれぞれ前記送風入口１６の左右両側端部１６ａ、１６ｂに位置して、前記送風入口１６を閉塞する角度にあらかじめ構成され、前記前方送風路１４あるいは後方送風路１５への切換操作時には、例えば、図４に示されているように、送風される後方送風路１５側にある前記切換片１８ｂがその反対側の前方送風路１４を閉塞する構成とされ、その際、他の切換片１８ａが前記前方送風路１４内に位置させられる。
【００１８】
前記構成は、前方送風路１４へ送風を切換えた場合も同様であり、図５に示されているように、送風される前方送風路１４側にある前記切換片１８ａがその反対側の後方送風路１５を閉塞し、他の切換片１８ｂが前記後方送風路１５内に位置させられる。
【００１９】
さらに、前記弁室１９内には、その下方域に前記Ｖ字状弁１８の基部１８ｃに隣設する位置から伸びて前記送風路１４、１５の変向外周部１４ａ、１５ａ間を遮断する仕切板２０、２０が設けられる。本発明では、該仕切板２０、２０が、前記Ｖ字状弁１８の前記基部１８ｃに隣設する位置から伸びてそれぞれ前記送風路１４、１５側の前記変向外周部１４ａ、１５ａに向けて傾斜させられた構成とされる。
【００２０】
図中、２１は前記Ｖ字状弁１８の回動軸２２の外部端に設けられた切換位置保持自在の送風切換レバー、２３は前記回動軸２２の軸受である。
【００２１】
前記構成の本実施形態の送風切換装置１３は、例えば、図１に示すように、前記前方送風路１４に前記前方送風管１１が連結され、前記後方送風路１５に前記後方送風管１２が連結されて使用される。
【００２２】
そして、例えば、前記送風切換レバー２１を操作して中立位置にすると、図２に示されているように、前記両切換片１８ａ、１８ｂの先端部が前記送風入口１６の左右両側端部１６ａ、１６ｂに位置させられ、前記両切換片１８ａ、１８ｂによって前記送風入口１６が閉塞され、前記送風機７からの送風が遮断される。
【００２３】
つぎに、前記送風切換レバー２１を操作して、前記Ｖ字状弁１８を、図４に示されているように、反時計回り方向に所定角度回動させると、送風される前記後方送風路１５側にある前記切換片１８ｂの先端部が前記送風入口１６の左側端部１６ａに位置させられて、前記前方送風路１４が閉塞されるとともに、他方の切換片１８ａが前記前方送風路１４内に位置させられ、前記送風機７からの送風が前記切換片１８ｂと前記仕切板２０によって変向されて、前記後方送風路１５に向けて送風させられる。
【００２４】
また、前記送風切換レバー２１を操作して、前記Ｖ字状弁１８を、図５に示されているように、時計回り方向に所定角度回動させると、送風される前記前方送風路１４側にある前記切換片１８ａの先端部が前記送風入口１６の右側端部１６ｂに位置させられて、前記後方送風路１５が閉塞されるとともに、他方の切換片１８ｂが前記後方送風路１５内に位置させられ、前記送風機７からの送風が前記切換片１８ａと前記仕切板２０によって変向されて、前記前方送風路１４に向けて送風される。
【００２５】
さらに、本発明では、前記仕切板２０、２０を前記Ｖ字状弁１８の基部１８ｃからそれぞれの前記送風路１４、１５の変向外周部１４ａ、１５ｂに向けて傾斜させて設けたため、乱流が生じることがなく、送風がスムーズに行われる。
【００２６】
なお、本発明の送風切換装置は、前記乗用管理機用に限定されるものではなく、各種送風装置にも適用できることはいうまでもない。
【００２７】
【発明の効果】
本発明によれば、送風切換えと送風停止ができるため、送風用フアンを駆動するためのＯＮ、ＯＦＦスイッチや送風機用クラッチを廃止することができ、駆動系への負担を減少でき、さらには機体全体の簡素化及び軽量化が図れる効果が得られる。
【図面の簡単な説明】
【図１】本発明に係る一実施形態の送風切換装置を装着した乗用管理機の一例を示す概略全体斜視図である。
【図２】本実施形態の送風切換装置による送風停止時を示す要部縦断面図である。
【図３】図２のＩＩＩーＩＩＩ矢視断面図である。
【図４】送風切換え状態を示す縦断面図である。
【図５】送風切換えの他の状態を示す縦断面図である。
【符号の説明】
１３  送風切換装置
１４  前方送風路
１４ａ  変向外周部
１５  後方送風路
１５ａ  変向外周部
１６  送風入口
１６ａ、１６ｂ  側端部
１７、１７ａ  膨出部
１８  Ｖ字状弁
１８ａ、１８ｂ  切換片
１８ｃ  基部
１９  弁室
２０、２０  仕切板
２２  回動軸
【図１】
0003964955.tif 000002
【図２】
0003964955.tif 000003
【図３】
0003964955.tif 000004
【図４】
0003964955.tif 000005
【図５】
0003964955.tif 000006